(57)【特許請求の範囲】
【請求項１】
活性エネルギー線で硬化するインクを吐出する記録ヘッド、
フラッシングにより前記記録ヘッドから吐出されたインクを受ける板部材で構成されるフラッシング受容部、
前記フラッシング受容部を活性エネルギー線で照射することにより、前記フラッシング受容部の上のインクを硬化させるエネルギー線源及び、
前記フラッシング受容部の表面を摺擦することにより、前記フラッシング受容部上の固化したインクを除去して、前記フラッシング受容部の表面を清掃する清掃手段、
を有することを特徴とするインクジェット記録装置。
【請求項２】
前記板部材は、金属、プラスチック又はガラスからなることを特徴とする請求項１に記載のインクジェット記録装置。
【請求項３】
前記フラッシング受容部は、活性エネルギーにより硬化したインクを担持した状態で、外部からクリーニング可能な状態にあることを特徴とする請求項１又は請求項２に記載のインクジェット記録装置。
【請求項４】
前記フラッシング受容部は、フラッシング受容位置において、前記記録ヘッドのインク吐出面に対して、記録媒体のインク受容面と略等しい距離に形成された略平面の受容面を有することを特徴とする請求項１〜３のいずれか１項に記載のインクジェット記録装置。
【請求項５】
前記清掃手段は、ゴムブレード又はブラシを有することを特徴とする請求項１〜４のいずれか１項に記載のインクジェット記録装置。
【請求項６】
前記エネルギー線源は紫外線を発生することを特徴とする請求項１〜５のいずれか１項に記載のインクジェット記録装置。
【請求項７】
活性エネルギー線の照射によりゲル状に硬化するインクを用いて画像を記録することを特徴とする請求項１〜６のいずれか１項に記載のインクジェット記録装置。
【請求項８】
前記記録ヘッド及び前記エネルギー線源を支持するキャリッジ及び前記記録ヘッドの回復処理を行うメンテナンスユニットを有し、前記キャリッジが前記メンテナンスユニットに略対向する位置にあるときに、前記エネルギー線源が前記フラッッシング受容部を照射する位置にあるように前記エネルギー線源が配置されたことを特徴とする請求項１〜７のいずれか１項に記載のインクジェット記録装置。
【請求項９】
フラッシングにより記録ヘッドから吐出されたインクを板部材で構成されるフラッシング受容部で受け、
前記フラッシング受容部上のインクに活性エネルギーを照射することにより、前記インクを固化させ、固化した前記インクを清掃手段で掻き取り、廃インク容器に回収することを特徴とする廃インクの回収方法。
【発明の詳細な説明】
【技術分野】
【０００１】
本発明は、記録紙、記録布等の記録媒体にインクを吐出して記録を行うインクジェット記録装置に関する。
【背景技術】
【０００２】
インクジェット記録装置は、周知のように、紙、布、プラスチックシート等の平面記録媒体や立体記録媒体にインク滴を吐出して画像を形成する記録装置である。
【０００３】
インクジェット記録装置では一般に、画像形成のためにインクを吐出する他に、主としてインクを吐出するノズルの機能を維持するメンテナンスのために、インクをノズルから強制吐出させるフラッシングが行われる。フラッシングにより吐出されたインクは、廃インクとして処理される。
【０００４】
フラッシング時に発生する廃インクの処理に関しては、次のような様々な工夫がある。
【０００５】
特許文献１、２では、廃インクをポンプで廃インクタンクに輸送することが開示されている。
【０００６】
特許文献３、４では、廃インクを液吸収体に吸収させることが開示されている。
【０００７】
特許文献５では、ベルト上にインクを吐出させ、ベルトをクリーニングすることが記載されている。
【０００８】
特許文献６では、インク吹きつけ部に堆積したインクを掻き出すことが開示されている。
【０００９】
特許文献７では、フラッシング受容部の受容面を傾斜させ、廃インクを重力により底部へと搬送する。
【００１０】
特許文献８では、廃インクをローラ上に吐出させ、ローラ上の廃インクをブレードでクリーニングすることが開示されている。
【特許文献１】特開平３−２３４６４８号公報
【特許文献２】特開平４−２８６６５５号公報
【特許文献３】特開平１０−２６４４０７号公報
【特許文献４】特開平１０−２９６９９９号公報
【特許文献５】特開２０００−２７２１１０号公報
【特許文献６】特開２００１−１３８５４９号公報
【特許文献７】特開２００２−８６７６２号公報
【特許文献８】特開２００３−３４１１０５号公報
【発明の開示】
【発明が解決しようとする課題】
【００１１】
特許文献１〜８を含む従来技術では、フラッシングによりノズルから吐出されたインクを液体処理しているが、液体処理であるために、液の漏れ、液の付着等の問題がある。
【００１２】
即ち、特許文献１の方法では、廃インク処理のためにポンプが必要になるとともに、ポンプによる吸引を行う場合に、廃液輸送系における圧力の変動が生じ、この圧力変動が、ノズルからの吐出されたインクの飛翔に影響し、インク飛散が生ずるという問題がある。
【００１３】
特許文献２，３では、インク吸収体のインク吸収容量が飽和した場合に、インク吸収体の交換が必要になるが、比較的頻繁に交換が必要になるという問題がある。また、廃インクを吸収したものは廃棄物とした処理されるが、これは液体（インク）と固体（インク吸収体）との複合物であるために、処理が困難であるという問題がある。
【００１４】
特許文献５では、液体のクリーニング性が固体に比較して困難なために、残留物が生じやすく、ベルトを長期間に亘って清浄に維持することが困難であるという問題がある。
【００１５】
特許文献６でも、インクを掻き出すスライダーにインクが堆積して、他部品に付着するなどの問題がある。
【００１６】
特許文献７においても、フラッシング受容部にインクが堆積する傾向があるとともに、ノズルのインク吐出面とフラッシング受容部間の距離が長くなって、インク吐出の際にインクが飛散しやすいという問題がある。
【００１７】
特許文献８では、ローラの側面など、ローラ上のクリーニングされない部分への付着インク量が次第に増加する傾向あり、残留液が他部分に付着する等の問題がある。
【課題を解決するための手段】
【００１８】
本発明は、紫外線等の活性エネルギー線により硬化するインクの特徴を利用して、廃インクを硬化させて処理するものであり、下記の何れかのインクジェット記録装置により前記目的が達成される。
１．
活性エネルギー線で硬化するインクを吐出する記録ヘッド、
フラッシングにより前記記録ヘッドから吐出されたインクを受ける板部材で構成されるフラッシング受容部、
前記フラッシング受容部を活性エネルギー線で照射することにより、前記フラッシング受容部の上のインクを硬化させるエネルギー線源及び、
前記フラッシング受容部の表面を摺擦することにより、前記フラッシング受容部上の固化したインクを除去して、前記フラッシング受容部の表面を清掃する清掃手段、
を有することを特徴とするインクジェット記録装置。
２．
前記板部材は、金属、プラスチック又はガラスからなることを特徴とする前記１に記載のインクジェット記録装置。
３．
前記フラッシング受容部は、活性エネルギーにより硬化したインクを担持した状態で、外部からクリーニング可能な状態にあることを特徴とする前記１又は前記２に記載のインクジェット記録装置。
４．
前記フラッシング受容部は、フラッシング受容位置において、前記記録ヘッドのインク吐出面に対して、記録媒体のインク受容面と略等しい距離に形成された略平面の受容面を有することを特徴とする前記１〜３のいずれか１項に記載のインクジェット記録装置。
５．
前記清掃手段は、ゴムブレード又はブラシを有することを特徴とする前記１〜４のいずれか１項に記載のインクジェット記録装置。
６．
前記エネルギー線源は紫外線を発生することを特徴とする前記１〜５のいずれか１項に記載のインクジェット記録装置。
７．
活性エネルギー線の照射によりゲル状に硬化するインクを用いて画像を記録することを特徴とする前記１〜６のいずれか１項に記載のインクジェット記録装置。
８．
前記記録ヘッド及び前記エネルギー線源を支持するキャリッジ及び前記記録ヘッドの回復処理を行うメンテナンスユニットを有し、前記キャリッジが前記メンテナンスユニットに略対向する位置にあるときに、前記エネルギー線源が前記フラッッシング受容部を照射する位置にあるように前記エネルギー線源が配置されたことを特徴とする前記１〜７のいずれか１項に記載のインクジェット記録装置。
９．
フラッシングにより記録ヘッドから吐出されたインクを板部材で構成されるフラッシング受容部で受け、
前記フラッシング受容部上のインクに活性エネルギーを照射することにより、前記インクを固化させ、固化した前記インクを清掃手段で掻き取り、廃インク容器に回収することを特徴とする廃インクの回収方法。
【発明の効果】
【００１９】
本発明により、廃インクを活性エネルギー線で硬化させて、硬化したインクをフラッシング受容部から除去するので、簡単な機構でフラッシング受容部をクリーニングすることが可能であり、また、フラッシング受容部にインク残留物が蓄積し、蓄積したものが他部に付着して汚染する等の問題が解決される。
【発明を実施するための最良の形態】
【００２０】
以下、実施の形態により本発明を説明するが、本発明は該実施の形態に限られない。
【００２１】
図１は本発明の実施の形態に係るインクジェット記録装置の全体構成を示す図である。
【００２２】
１は記録用インクの供給源であるインクタンクであり、イエローインクタンク１Ｙ、マゼンタインクタンク１Ｍ、シアンインクタンク１Ｃ及び黒インクタンク１Ｋで構成される。２はインク滴を吐出して画像を形成するノズルを有する記録ヘッドであり、イエロー記録ヘッド２Ｙ、マゼンタ記録ヘッド２Ｍ、シアン記録ヘッド２Ｃ及び黒記録ヘッド２Ｋで構成される。３は、活性エネルギー線である紫外線を発エネルギーするエネルギー線源である。
【００２３】
４はキャリッジであり、キャリッジ４は記録ヘッド２及びエネルギー線源３を一体に搭載しており、キャリッジガイド５により案内されて矢印ＷＸ１、ＷＸ２で示すように往復移動して、記録媒体Ｐを走査し、記録媒体Ｐに画像を形成する。
【００２４】
６は電磁弁であり、イエロー用電磁弁６Ｙ、マゼンタ用電磁弁６Ｍ、シアン用電磁弁６Ｃ及び黒用電磁弁６Ｋで構成される。７は中間タンクであり、イエロー用中間タンク７Ｙ、マゼンタ用中間タンク７Ｍ、シアン用中間タンク７Ｃ及び黒用中間タンク７Ｋで構成される。
【００２５】
記録用インクはインクタンク１から中間タンク７に送られ、中間タンク７からインク供給路８を経て記録ヘッド２に供給される。インク供給路８はイエローインク用、マゼンタインク用、シアンインク用及び黒インク用の供給路で構成されており、各単色インクはそれぞれ独立して、インクタンク１からインク供給路８を経て記録ヘッド２に供給される。
【００２６】
１０は記録ヘッド２の回復処理を行うメンテナンスユニットであり、記録ヘッド２をキャッピングする吸引キャップ９及びフラッシング受容部１１を有する。
【００２７】
吸引キャップ９はイエロー記録ヘッド２Ｙをキャッピングする吸引キャップ９Ｙ、マゼンタ記録ヘッド２Ｍをキャッピングする吸引キャップ９Ｍ、シアン記録ヘッド２Ｃをキャッピングする吸引キャップ９Ｃ及び黒記録ヘッド２Ｋをキャッピングする吸引キャップ９Ｋで構成される。
【００２８】
フラッシング受容部１１は、金属、プラスチック、ガラスなどの板部材で構成される。
【００２９】
フラッシング受容部１１のインク受容面１１ａ、即ち、上面は、記録ヘッド２に対して、記録ヘッド２のノズルのインク吐出面２ａと前記インク受容面１１ａ間の距離Ｄが、ノズルのインク吐出面２ａとプラテン上を走行し、インク滴が着弾する記録媒体Ｐのインク滴受容面間の距離に略等しくなるようにフラッシング受容部１１を設定することが好ましい。
【００３０】
記録媒体Ｐのインク滴受容面は、インク滴が正確な位置に着弾し、インクの飛散がないように設定されるので、フラッシング受容部材１１のインク受容面１１ａを記録媒体Ｐのインク受容面と同等な位置に設定することにより、フラッシング時のインク飛散が良好に防止される。
【００３１】
１２は廃インクを収容する廃インク容器であり、着脱自在に装着される。
【００３２】
図２はインクの流れを示す図、図３はキャリッジ４がメンテナンスユニット１０に対向する位置にあるときの記録ヘッド２と、エネルギー線源３と、フラッシング受容部１１との位置関係を示す図である。
【００３３】
インクタンク１内の記録用インクは電磁弁６を介して中間タンク７に供給される。中間タンク７にはインク量センサ１４が設けられ、電磁弁６はインク量センサ１４の検知信号に基き開閉動作して、中間タンク７内のインク量を常に一定に維持する。
【００３４】
中間タンク７と記録ヘッド２との間にはダンパー１５が介在しており、このダンパー１５により、キャリッジ４の移動により生ずる記録ヘッド２内のインク圧の変動を緩和する。
【００３５】
記録ヘッド２の回復処理時に記録ヘッド２から吐出された廃インクは吸引ポンプ１７により吸引されて廃インク容器１２に収容される。
【００３６】
１６は吸引キャップ９が記録ヘッド２に密着・離間する際に起こる吸引キャップ９内の圧力変動を緩和する電磁弁である。吸引ポンプ１７は図３に示すように、イエロー用吸引ポンプ１７Ｙ、マゼンタ用吸引ポンプ１７Ｍ、シアン用吸引ポンプ１７Ｃ及び黒用吸引ポンプ１７Ｋで構成され、各単色インク毎に独立して作動するが、これらの吸引プンプ１７Ｙ、１７Ｍ、１７Ｃ、１７Ｋにより吸引されたインクは共通の廃インク容器１２に収容される。
【００３７】
本発明においては、フラッシングにより記録ヘッド２から強制吐出され、フラッシング受容部１１上に付着しているインクを紫外線照射することにより硬化させ、硬化したインクを清掃手段で掻き取ることにより、フラッシング受容部１１の表面をクリーニングする。これにより連続した画像記録とフラッシングの繰り返しとが行われる。
【００３８】
１８はダストシュータであり、ダストシュータ１８を通して、フラッシング受容部１１上で硬化したインクが固化インク回収容器１９に回収される。
【００３９】
２０はフラッシング受容部１１上の固化インクＱ（図５に示す）を掻き取る清掃手段としてのワイパーであり、掻き取られた固化インクＱは、フラッシング受容部１１に設けられた排出口１１Ａからダストシュータ１８に排出される。
【００４０】
ワイパー２０はゴムブレード又はブラシからなり、図４の矢印で示すように移動してフラッシング受容部１１の表面を摺擦し、固化インクＱを掻き取る。
【００４１】
本発明においては、紫外線等の活性エネルギー線で照射された硬化するインクが使用される。このようなインクには、米国特許第４，２２８，４３８号明細書、特公平５−６４６６７号公報、特開平７−２２４２４１号公報等に記載された周知のものを用いることが出来る。
【００４２】
また、本出願人の出願にかかる特願２００５−２１１１３５号明細書に記載されており、活性エネルギー線によりゲル状に硬化するインクを使用することができる。
【００４３】
ゲル状に硬化するインクとしては、少なくとも色剤と、水と、親水性主鎖に複数の側鎖を有し、活性エネルギー線を照射することにより、側鎖間で架橋結合可能な高分子化合物と、を含有するインクジェット用インクであって、前記色剤がアニオン性であり、かつ前記高分子化合物の側鎖がアニオン性、又はノニオン性であることを特徴とするインクジェット用インクが用いられる。
【００４４】
親水性主鎖に複数の側鎖を有し、活性エネルギー線を照射することにより側鎖間で架橋結合可能な高分子化合物とは、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体からなる群より選ばれる少なくとも一種の親水性樹脂に対して、側鎖に光二量化型、光分解型、光重合型、光変性型、光解重合型等の変性基を導入したものである。光重合型の架橋性基が感度、生成される画像の性能の観点から望ましい。
【００４５】
色材のイオン性と前記高分子化合物の側鎖のイオン性の間には、好ましい組合せが存在する。色材にアニオン性を選択し、側鎖にはノニオン性またはアニオン性を組み合わせることで、画像堅牢性およびインクの保存性、連続出射性の観点で優れていることがわかった。側鎖としてはノニオン性が最も好ましい。理由は定かではないが、上記イオンの組合せの場合は、インク組成物の分解やインク組成物同士の会合などが少なくなり、このことが、上記効果に影響している可能性がある。
【００４６】
側鎖としては、前記一般式（Ａ）で表される構造を有するものが好ましい。
【００４７】
活性エネルギー線架橋性高分子化合物の親水性主鎖と側鎖の部分構造が下記一般式（Ａ）で表されるものが好ましい。
【００４８】
一般式（Ａ）
Ｐｏｌｙ−｛（Ｘ1）m−〔Ｂ−（Ｙ1）n〕p｝
式中、Ｐｏｌｙは親水性主鎖を表す。ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体が好ましい。
【００４９】
｛    ｝は側鎖を表す。側鎖中、Ｘ1は（ｐ＋１）価の連結基を表わす。ｐは正の整数を表し、好ましくは１〜５の整数である。具体的には、ｐ＝１のとき、Ｘ1が２価の連結基を表し、例えば、アルキレン基、アリーレン基、ヘテロアリーレン基、エーテル基、チオエーテル基、イミノ基、エステル基、アミド基、スルホニル基などが挙げられ、又、これらが組み合わさって一つの２価以上の基を形成してもよい。またｐ＝２以上のとき、後述する複数のＢ及びＹ1は同一であっても異なっていてもよい。
【００５０】
Ｘ1は、好ましくは、アルキレンオキシド、芳香族基が少なくとも組み合わさっている２価以上の連結基が挙げられる。
【００５１】
Ｂは、架橋基を表す。具体的には、二重結合、三重結合を含有する基であり、例えば、アクリル基、メタクリル基、ビニル基、アリル基、ジアゾ基、アジド基を表す。好ましくは、アクリル基、メタクリル基である。
【００５２】
Ｙ1は、水素原子または置換基を表す。置換基とは具体的にはハロゲン原子（例えば、フッ素原子、塩素原子等）、アルキル基（例えば、メチル、エチル、ブチル、ペンジル、２−メトキシエチル、トリフルオロメチル、２−エチルヘキシル、シクロヘキシル等）、アリール基（例えば、フェニル、ｐ−トリル、ナフチル等）、アシル基（例えば、アセチル、プロピオニル、ベンゾイル等）、アルコキシ基（例えば、メトキシ、エトキシ、ブトキシ等）、アルコキシカルボニル基（例えば、メトキシカルボニル、ｉ−プロポキシカルボニル等）、アシルオキシ基（例えば、アセチルオキシ、エチルカルボニルオキシ等）、カルバモイル基（例えば、メチルカルバモイル、エチルカルバモイル、ブチルカルバモイル、フェニルカルバモイル等）、スルファモイル基（例えば、スルファモイル、メチルスルファモイル、ジメチルスルファモイル、フェニルスルファモイル等）、アルキルチオ基（例えば、メチルチオ、エチルチオ、オクチルチオ等）、アリールチオ基（例えば、フェニルチオ、ｐ−トリルチオ等）、アルキルウレイド基（例えば、メチルウレイド、エチルウレイド、メトキシエチルウレイド、ジメチルウレイド等）、アリールウレイド基（例えば、フェニルウレイド等）、アルキルスルホンアミド基（例えば、メタンスルホンアミド、エタンスルホンアミド、ブタンスルホンアミド、トリフルオロメチルスルホンアミド、２，２，２−トリフルオロエチルスルホンアミド等）、アリールスルホンアミド基（例えば、フェニルスルホンアミド、トリルスルホンアミド等）、アルキルアミノスルホニルアミノ基（例えば、メチルアミノスルホニルアミノ、エチルアミノスルホニルアミノ等）、アリールアミノスルホニルアミノ基（例えば、フェニルアミノスルホニルアミノ等）、ヒドロキシ基、複素環基（例えば、ピリジル、ピラゾリル、イミダゾリル、フリル、チエニル等）などが挙げられ、更にこれらは置換基を有していても良い。
【００５３】
ｍは、０または１を表す。
【００５４】
ｎは、０または１を表す。
【００５５】
親水性主鎖においては、側鎖の導入に対する簡便性や、取り扱いの観点からポリ酢酸ビニルのケン化物が好ましく、その重合度は３００以上４０００以下が好ましく、５００以上２０００以下がハンドリングの観点からより好ましい。主鎖に対する側鎖の変性率は０．３モル％以上４モル％以下が好ましく０．５モル％以上１．５モル％以下が反応性の観点からより好ましい。０．３モル％より小さいと架橋性が不足し本発明の効果が小さくなり、４モル％より大きいと架橋密度が大きくなり硬くてもろい膜となり、膜の強度が落ちてしまう。
【００５６】
活性エネルギー線架橋性高分子化合物において、さらに好ましい構造としては、特開昭５６−６７３０９号公報記載の感光性樹脂は、ポリビニルアルコール構造体中に、下記一般式（１）で表される２−アジド−５−ニトロフェニルカルボニルオキシエチレン構造（ノニオン性）の側鎖、又は、下記一般式（２）で表され４−アジド−３−ニトロフェニルカルボニルオキシエチレン構造（ノニオン性）の側鎖、を有する樹脂組成物である。
【００５７】
【化１】
0004742820.tif 000002
【００５８】
また、下記一般式（３）で表される変性基（アニオン性）の側鎖も好ましく用いられる。
【００５９】
【化２】
0004742820.tif 000003
【００６０】
式中、Ｒはアルキレン基又は芳香族環を表す。好ましくはベンゼン環である。
【００６１】
光重合型の変性基としては、例えば特開２０００−１８１０６２号、特開２００４−１８９８４１号に示される下記一般式（４）で表される樹脂（ノニオン性）が反応性の観点から好ましい。
【００６２】
【化３】
0004742820.tif 000004
【００６３】
式中、Ｒ2はＭｅ又はＨ、ｎは１又は２を表し、Ｘは−（ＣＨ2）m−ＣＯＯ−又は−Ｏ−、Ｙは芳香族環又は単結合、ｍは０〜６までの整数を表す。
【００６４】
また、特開２００４−１６１９４２号公報に記載されている光重合型の下記一般式（５）で表される変性基（ノニオン性）を、従来公知の水溶性樹脂に用いることも好ましい。
【００６５】
【化４】
0004742820.tif 000005
【００６６】
式中、Ｒ3はＭｅ又はＨを表し、Ｒ4は炭素数２〜１０の直鎖状または分岐状のアルキレン基を表す。
【００６７】
更に、下記一般式（６）乃至（８）で表される変性基（ノニオン性）も好ましく用いられる。
【００６８】
【化５】
0004742820.tif 000006
【００６９】
このような活性エネルギー線架橋型の樹脂は、インク全質量に対して０．８質量％から５．０質量％含有することが、好ましい。０．８質量％以上存在することで、架橋効率が向上し、架橋後のインク粘度の急激な上昇によりビーディングやカラーブリードがより好ましくなる。５．０質量％以下の場合は、インク物性やインクヘッド内状態に悪影響しにくくなり、出射性やインク保存性の観点で好ましい。
【００７０】
活性エネルギー線架橋型の樹脂においては、元々ある程度の重合度をもった主鎖に対して側鎖間で架橋結合を介して架橋をするため、一般的な連鎖反応を介して重合する活性エネルギー線硬化型の樹脂に対して光子一つ当たりの分子量増加効果が著しく大きい。一方、従来公知の光硬化型の樹脂においては架橋点の数は制御不可能であるため硬化後の膜の物性をコントロールすることができず、硬くてもろい膜となりやすい。
【００７１】
活性エネルギー線架橋型の樹脂においては架橋点の数は親水性主鎖の長さと、側鎖の導入量で完全に制御でき、目的に応じたインク膜の物性制御が可能である。
【００７２】
さらに、従来公知の活性エネルギー線硬化型インクが色剤以外のほぼ全量が硬化性分であり、そのため硬化後のドットが盛り上がり、エネルギー線沢に代表される画質に劣ることに対し、本発明に用いられる樹脂においては必要量が少量ですみ、乾燥成分が多いため乾燥後の画質の向上が図られ、かつ定着性も良い。
【００７３】
（光重合開始剤、増感剤）
また、光重合開始剤や増感剤を添加するのも好ましい。これらの化合物は溶媒に溶解、または分散した状態か、もしくは感エネルギー線性樹脂に対して化学的に結合されていてもよい。
【００７４】
適用される光重合開始剤、光増感剤について特に制限はなく、従来公知の物を用いることができる。
【００７５】
適用される光重合開始剤、光増感剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が水系溶媒への混合性という観点で好ましい。
【００７６】
さらに、樹脂との相溶性の観点から下記一般式（９）で表される４−（２−ヒドロキシエトキシ）フェニル−（２−ヒドロキシ−２−プロピル）ケトン（ｎ＝１、ＨＭＰＫ）や、そのエチレンオキシド付加物（ｎ＝２〜５）がより好ましい。
【００７７】
【化６】
0004742820.tif 000007
【００７８】
式中、ｎは１〜５の整数を表す。
【００７９】
また、他には一例としベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類。チオキサトン、２、４−ジエチルチオキサントン、イソプロピルチオキサントン、クロロチオキサントン、イソプロポキシクロロチオキサントン等のチオキサントン類。エチルアントラキノン、ベンズアントラキノン、アミノアントラキノン、クロロアントラキノン等のアントラキノン類。アセトフェノン類。ベンゾインメチルエーテル等のベンゾインエーテル類。２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が好ましく用いられ、上記は単独で使用しても混合して使用してもかまわない。
【００８０】
これらの光重合開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等があげられる。
【００８１】
これらの光重合開始剤は親水性主鎖に対して、側鎖にグラフト化されていても好ましい。
【００８２】
次に、前記に説明した構成のインクジェット記録装置の動作を説明する。
【００８３】
キャリッジ４のＷＸ１方向の移動により、記録媒体Ｐを主走査し、記録媒体ＰをＷＹ方向に搬送することにより副走査が行われて、記録媒体Ｐ上に画像が形成される。なお、エネルギー線源３は画像記録において、常時点灯しており、記録ヘッド２から吐出され、記録媒体Ｐ上に着弾したインクは直ちに紫外線照射され硬化する。
【００８４】
キャリッジ４は各主走査毎に、記録媒体Ｐに対向する位置をカバーする印字領域を移動するが、キャリッジ４が端位置に移動して、各記録ヘッド２Ｙ、２Ｍ、２Ｃ、２Ｋがフラッシング受容部１１の真上に来た時に、記録ヘッド２からインクを強制吐出するフラッシングが行われる。
【００８５】
フラッシングの後に、キャリッジ４はメンテナンスユニット１０に対向する端位置に移動する。図３はキャリッジ４がメンテナンスユニット１０に対向する位置に移動した時の位置関係を示すが、図３に示すように、記録ヘッド２Ｙ、２Ｍ、２Ｃ、２Ｋの各々が、吸引キャップ９Ｙ、ＰＭ、ＰＣ、ＰＫでキャッピングされるする位置にあるときに、エネルギー線源３がフラッシング受容部１１を照射する位置にキャリッジ４の位置が設定される。図３の状態で、エネルギー線源３を発光させ、フラッシング受容部１１上に付着しているインクを紫外線照射することにより、インクを硬化させる。
【００８６】
紫外線照射後、キャリッジ４が図３の位置からＷＸ２方向に移動して、フラッシング受容部１１の上方にワイパー２０が移動し、ワイパー２０が図４に矢印で示すようにａからｄへと移動して、フラッシング受容部１１の表面を摺擦してクリーニングする。ワイパー２０により掻き取られた固化インクＱはダストシュータ１８から固化インク回収容器１９に回収される。
【００８７】
なお、フラッシングは、キャリッジ４の往復作動毎ではなく、所定回数の往復作動毎に行ってもよい。また、各フラッシング毎にエネルギー線源３を発光させ、紫外線照射をしないで、所定回数のフラッシング毎に紫外線照射し、ワイパー２０を作動させてもよい。
【００８８】
記録ヘッド２に吐出不良が生じた場合には、キャリッジ４はメンテナンスユニット１０に対向する位置に設定され、吸引キャップ９が記録ヘッド２をキャッピングした状態で吸引ポンプ１２が作動して、吸引を行う回復処理が行われる。吸引された廃インクは廃インク容器１２に回収される。
【００８９】
回復処理は、吐出不良が生じた場合の他に、オペレータの操作により又は定期的に実行される記録ヘッドのクリーニング時にも行われる。
【００９０】
図６は本発明の実施の形態の他の例において、フラッシング受容部がクリーニング位置にある状態を示す。
【００９１】
キャリッジ４が図３に示す位置にあって、エネルギー線源３がフラッシング受容部１１を照射し、フラッシング受容部１１上のインクを硬化させる。このようにしてフラッシング受容部１１上には固化インクが堆積するが、本実施の形態においては、フラッシング受容部１１上の硬化インクをオペレータの操作によりクリーニングすることが可能である。
【００９２】
オペレータによるクリーニングは、図４に示すようにインクジェット記録装置に装備されたクリーニング手段をオペレータが操作して実行される他に、インクジェット記録装置とは別にクリーニング器具が用意され、オペレータが該クリーニング器具を用いて、外部からクリーニングすることが可能である。
【００９３】
オペレータがクリーニング器具を用いてフラッシング受容部をクリーニングする場合には、図６に示すように、キャリッジ４がフラッシング受容部１１を露出させる位置まで移動し、クラッシング受容部１１はクリーニング可能な状態となる。図６に示す状態でオペレータによるクリーニングが可能となる。
【００９４】
図４に示すフラッシング受容部のクリーニングと図６に示すフラッシング受容部のクリーニングとを併用することも可能である。
【００９５】
即ち、定常的なクリーニングを図４に示すワイパー２０により行い、更に、図６に示す状態にフラッシング受容部１１を設定し、定常的なクリーニングによってもフラッシング受容部１１上に残留している固化インクをへら等のクリーニング器具を用い、クリーニングすることができる。
【図面の簡単な説明】
【００９６】
【図１】本発明の実施の形態に係るインクジェット記録装置の全体図である。
【図２】インクの流れを示す図である。
【図３】キャリッジ４がメンテナンスユニット１０に対向する位置にあるときの記録ヘッド２と、エネルギー線源３と、フラッシング受容部１１との位置関係を示す図である。
【図４】フラッシング受容部１１のクリーニング機構を示す図である。
【図５】フラッシング受容部１１の上面図である。
【図６】本発明の実施の形態の他の例において、フラッシング受容部がクリーニング状態にある場合を示す図である。
【符号の説明】
【００９７】
１  インクタンク
２  記録ヘッド
３  エネルギー線源
４  キャリッジ
１１  フラッシング受容部
２０  ワイパー
【図１】
0004742820.tif 000008
【図２】
0004742820.tif 000009
【図３】
0004742820.tif 000010
【図４】
0004742820.tif 000011
【図５】
0004742820.tif 000012
【図６】
0004742820.tif 000013